(57)【要約】【課題】冷蔵庫全体の収納量に対して野菜の収納容量を確保し、様々なサイズの野菜に対応して収納性と整理性を改善して使い勝手が向上した冷蔵庫を得ること。【解決手段】縦長の冷蔵庫本体１と、冷蔵庫本体１の上部に設けられ、観音開きの一対の第一断熱扉４、５を有する第一貯蔵室２と、該第一貯蔵室２の下方に上下区画壁３３を介して並設され、左右区画壁３４により区画され、観音開きの一対の第二断熱扉６，７を有する第二貯蔵室３Ａ及び第三貯蔵室３Ｂとを備え、第一貯蔵室２内に縦仕切部材２５を設けて野菜室２Ａと冷蔵室２Ｂを形成し、野菜室２Ａに野菜を保存可能な高さの異なる複数の野菜収納ケース１７ａ、１７ｂ、１８ａ、１８ｂ、１９を上下方向に設置したものである。【選択図】図１
2011038686.tif 000002
【特許請求の範囲】
【請求項１】
冷蔵庫本体と、該冷蔵庫本体の上部に設けられ、観音開きの一対の第一断熱扉を有する第一貯蔵室と、該第一貯蔵室の下方に上下区画壁を介して並設され、左右区画壁により区画され、観音開きの一対の第二断熱扉を有する第二貯蔵室及び第三貯蔵室とを備え、
前記第一貯蔵室内に縦仕切を設けて冷蔵室と野菜室を形成し、該野菜室に野菜を保存可能な高さの異なる複数の野菜収納ケースを上下方向に設置したことを特徴とする冷蔵庫。
【請求項２】
前記一対の第一断熱扉のうち、前記野菜室側に位置する第一断熱扉の幅は、当該第一断熱扉を開放した場合に前記各野菜ケースを取り出すことができるよう前記野菜室の幅より少し大きい寸法であることを特徴とする請求項１記載の冷蔵庫。
【請求項３】
前記一対の第一断熱扉と前記一対の第二断熱扉とは、上下の組み合わせでそれぞれ幅寸法を等しくなるよう形成されていることを特徴とする請求項１又は２記載の冷蔵庫。
【請求項４】
前記第二貯蔵室及び第三貯蔵室の背面に冷却器を配置したことを特徴とする請求項１〜３のいずれかに記載の冷蔵庫。
【請求項５】
前記第一貯蔵室内の前記冷蔵室に、自由に棚間隔を変更できる可動棚を設けたことを特徴とする請求項１〜４のいずれかに記載の冷蔵庫。
【請求項６】
前記第一貯蔵室内の前記冷蔵室に固定棚を設け、前記冷蔵室の底部と前記固定棚との間に、チルドの温度帯に設定できる少なくとも一つのチルド品収納ケースを設置したことを特徴とする請求項１〜５のいずれかに記載の冷蔵庫。
【請求項７】
前記第二貯蔵室又は前記第三貯蔵室を上下区画壁により上下に分割し、それぞれ他の温度帯に設定できる二つの貯蔵室を形成し、これら二つの貯蔵室に断熱扉を設けたことを特徴とする請求項１〜６のいずれかに記載の冷蔵庫。
【請求項８】
前記第一貯蔵室が前記第二及び第三貯蔵室より高温の場合、蒸発温度を高温側と低温側に分けた二つの冷却器のうち、該高温側の冷却器を前記第一貯蔵室の背面に設置し、前記低温側の冷却器を前記第二及び第三貯蔵室の背面に設置したことを特徴とする請求項１〜７のいずれかに記載の冷蔵庫。
【発明の詳細な説明】
【技術分野】
【０００１】
本発明は観音開きの扉を有する冷蔵庫に関する。
【背景技術】
【０００２】
従来の扉が観音開きの冷蔵庫は、冷蔵庫本体の上部に冷蔵室、その下に冷凍室が数部屋並べて設置されていて、前記冷蔵室内の底部に野菜容器が左右に設置されている（例えば、特許文献１参照）。
【先行技術文献】
【特許文献】
【０００３】
【特許文献１】特開２００８−１４４９８０号公報（第１頁、図２）
【発明の概要】
【発明が解決しようとする課題】
【０００４】
従来の冷蔵庫は、冷蔵庫本体の上部に冷蔵室、その下に冷凍室が数部屋並べて設置されていて、冷蔵室内の底部に野菜容器が左右に設置されているので、野菜容器における野菜の収納量が全体の収納量に対して少なく、野菜の収納量を増やそうとした場合には野菜容器一個あたりの大きさが大きくなるという問題点があった。
また、野菜容器は収納される野菜の寸法に対してスペースが十分に取れなかったり、逆にスペースが大きすぎて大小の野菜を重ねて収納する必要が起きたりするというように野菜の収納性が悪いという問題点もあった。
【０００５】
本発明は、上記のような課題を解決するためになされたもので、冷蔵庫全体の収納量に対して野菜の収納容量を確保し、様々なサイズの野菜に対応して収納性と整理性を改善して使い勝手が向上した冷蔵庫を得ることを目的とする。
【課題を解決するための手段】
【０００６】
本発明に係る冷蔵庫は、冷蔵庫本体と、該冷蔵庫本体の上部に設けられ、観音開きの一対の第一断熱扉を有する第一貯蔵室と、該第一貯蔵室の下方に上下区画壁を介して並設され、左右区画壁により区画され、観音開きの一対の第二断熱扉を有する第二貯蔵室及び第三貯蔵室とを備え、前記第一貯蔵室内の略中央に縦仕切部材を設けて冷蔵室と野菜室を形成し、該野菜室に野菜を保存可能な高さの異なる複数の野菜収納ケースを上下方向に設置したものである。
【発明の効果】
【０００７】
本発明に係る冷蔵庫においては、冷蔵庫本体の上部に設けられ、観音開きの一対の第一断熱扉を有する第一貯蔵室内の略中央に縦仕切部材を設けて冷蔵室と野菜室を形成したので、その野菜室により冷蔵庫全体の収納量に対して野菜の収納容量を充分に確保することができる。
さらに、野菜室に野菜を保存可能な高さの異なる複数の野菜収納ケースを上下方向に設置したので、様々なサイズの野菜をそれに対応する野菜収納ケースに収納することにより、様々なサイズの野菜に対応して収納性と整理性を改善して使い勝手が向上するという効果がある。
【図面の簡単な説明】
【０００８】
【図１】本発明の実施の形態１の冷蔵庫を示す正面図。
【図２】同冷蔵庫を示す縦断面図。
【図３】同冷蔵庫の冷蔵室を示す横断面図。
【図４】同冷蔵庫の冷凍室及び切替室を示す横断面図。
【図５】同冷蔵庫の冷凍室の詳細を示す説明図。
【図６】同冷蔵庫の切替室の詳細を示す説明図。
【図７】同冷蔵庫の冷蔵室、野菜室の詳細を示す説明図。
【図８】同冷蔵庫の冷却器の位置を示す説明図。
【図９】本発明の実施の形態２の冷蔵庫を示す縦断面図。
【図１０】同冷蔵庫を示す正面図。
【図１１】本発明の実施の形態３の冷蔵庫の冷却器の位置を示す説明図。
【発明を実施するための形態】
【０００９】
実施の形態１．
図１は本発明の実施の形態１の冷蔵庫を示す正面図、図２は同冷蔵庫を示す縦断面図、図３は同冷蔵庫の冷蔵室を示す横断面図、図４は同冷蔵庫の冷凍室及び切替室を示す横断面図、図５は同冷蔵庫の冷凍室の詳細を示す説明図、図６は同冷蔵庫の切替室の詳細を示す説明図、図７は同冷蔵庫の冷蔵室、野菜室の詳細を示す説明図、図８は同冷蔵庫の冷却器の位置を示す説明図である。
図２に示すように、冷蔵庫本体１は、外箱３１と内箱３０で形成される空間に例えばウレタンホーム等の断熱材３２を充填して箱体とし、この箱体の内部を厚さが例えば４０ｍｍの上下区画壁３３及び厚さが例えば４０ｍｍの左右区画壁３４で区画して複数の貯蔵室、例えば上部に第一貯蔵室である冷蔵室２を設け、その下に第二貯蔵室である冷凍室３Ａ、第三貯蔵室である温度切替室３Ｂを並べて配置する。冷蔵室２は、冷凍室３Ａ及び温度切替室３Ｂと上下区画壁３３で区画され、冷凍室３Ａと温度切替室３Ｂは左右区画壁３４で区画されている。
【００１０】
図１に示すように各貯蔵室に断熱扉が取り付けられる。具体的には、冷蔵室本体１の上部に観音開きの一対の第一断熱扉である冷蔵室断熱扉４，５を設け、その下に観音開きの一対の第二断熱扉である冷凍室断熱扉６と切替室断熱扉７を設ける。
図３に示すように、観音開きの一対の第一断熱扉である冷蔵室断熱扉４，５は、冷蔵庫本体１の幅寸法Ｗに対し例えば約４：６の割合で分割した寸法で構成されている。また、図４に示すように、観音開きの一対の第二断熱扉である冷凍室断熱扉６と切替室断熱扉７も、冷蔵庫本体１の幅寸法Ｗに対し例えば４：６の割合で分割した寸法で構成されている。
従って、観音開きの一対の第一断熱扉と観音開きの一対の第二断熱扉とは、上下の組み合わせでそれぞれ幅寸法を等しくなるように形成されている。
【００１１】
図１に示すように、冷凍室断熱扉６と切替室断熱扉７は上端が、床面から７７０±５０ｍｍで設置されており、その上方に冷蔵室断熱扉４、５が設置されている。
その第一貯蔵室である冷蔵室２は、略中央に設けた縦仕切部材２５によって左側に例えば温度が６℃の野菜室２Ａが、右側に例えば温度が３℃の小冷蔵室２Ｂが形成されている（図７参照）。
その野菜室２ａには野菜を保存可能な野菜収納中ケース１７ａ、１７ｂと、野菜収納小ケース１８ａ、１８ｂと、野菜収納大ケース１９が上下方向にそれぞれ例えば１０ｍｍの間隔を置いて設置されている。
野菜収納中ケース１７ａ、１７ｂと、野菜収納小ケース１８ａ、１８ｂと、野菜収納大ケース１９は、冷蔵室断熱扉４を開閉することで引き出しが可能な幅寸法を有している。
また、野菜収納中ケース１７ａ、１７ｂは高さ寸法が例えば２１０ｍｍ、野菜収納小ケース１８ａ、１８ｂは高さ寸法が例えば１１０ｍｍ、野菜収納大ケース１９は高さ寸法が例えば３２０ｍｍである。
【００１２】
また、自動製氷機の給水タンク１１は、図１に示すように、冷蔵室２と冷凍室３Ａの上下区画壁３３に埋め込まれて収納されている。そのため、給水タンク１１の部分は上下区画壁３３の下端から８５ｍｍ程度出っ張っている。
【００１３】
冷凍室３Ａには、上部に自動製氷機で製氷された氷を保存するための高さ寸法が、例えば１６５ｍｍの貯氷箱１３が配置されており、その貯氷箱１３の下に２個の冷凍食品収納ケース１４ａ、１４ｂが上から順に例えば１０ｍｍの間隔を置いて配置されている。
温度切替室３Ｂには、上から順に２個の切替室小収納ケース１５ａ、１５ｂとそれより大きい切替室大収納ケース１６ａ、１６ｂが配置されている。
貯氷箱１３とこれら冷凍食品収納ケース１４ａ、１４ｂ、切替室小収納ケース１５ａ、１５ｂ、切替室大収納ケース１６ａ、１６ｂはいずれも引き出し容器である。
【００１４】
図５に示すように、冷凍室３Ａの冷凍食品収納ケース１４ａ、１４ｂは、冷凍食品を立てて収納できるよう高さ寸法が、例えば１９５ｍｍ程度である。
図６に示すように、温度切替室３Ｂの切替室小収納ケース１５ａ、１５ｂは、カップ型のアイスクリームが２段積みして収納できるよう高さ寸法が、例えば１００ｍｍ程度である。
また、切替室大収納ケース１６ａ、１６ｂは、５００ｍｌペットボトルを立てて収納できるよう高さ寸法が例えば２１０ｍｍ程度である。
【００１５】
図７に示すように、野菜収納中ケース１７ａ、１７ｂはメロンやドレッシング等の調味料を立てて収納できるよう高さ寸法が例えば２２０ｍｍ程度である。
また、野菜収納小ケース１８ａ、１８ｂはイチゴパックやピーマン、にんじんのパック詰めを収納できるよう高さ寸法が１１０ｍｍ程度である。
さらに、野菜収納大ケース１９は、南瓜やキャベツを収納できるよう高さ寸法が２２０ｍｍ程度である。 
【００１６】
図６に示すように、温度切替室３Ｂの底面から床面までは、約７０ｍｍ（足回りや放熱のためのスペース）、可動可能寸法として各収納容器の縦の間隔を約１０ｍｍ程度確保し、上下区画壁３３の厚さを４０ｍｍとすると、上下区画壁３３の上面が床から約７７０±５０ｍｍの位置にある。
図７に示すように、冷蔵庫本体１の上側は冷蔵室２の天井の断熱厚さを約４０ｍｍとすると、冷蔵庫全体の高さが約１７４０±１００ｍｍ程度となる。
【００１７】
また、図７に示すように、冷蔵室２を野菜室２Ａと小冷蔵室２Ｂとに仕切る縦仕切部材２５は、スチロールインシュレーションの両側をプラスチックでサンドウィッチ状に挟んで、厚さが３ｍｍに形成されている。
この縦仕切部材２５の左側には野菜収納中ケース１７ａ、１７ｂ、野菜収納小ケース１８ａ、１８ｂ、野菜収納大ケース１９を支持するレール（図示省略）が形成され、右側には棚２２ａ、２２ｂを支持する４つの棚受け２５ａが設けられている。なお、小冷蔵室２Ｂの壁面にも前記４つの棚受け２５ａと同様の高さ位置に棚２２ａ、２２ｂを支持する４つの棚受け３０ａが設けられている。
【００１８】
そして、棚２２ａ、２２ｂを、載せるものに合わせて適宜高さの棚受け２５ａ、３０ａを選択することにより、自由に棚２２ａ、２２ｂ間の高さを調節することができる。
また、小冷蔵室２Ｂには、一番下の棚受け２５ａ、３０ａの下に固定棚２３が設けられており、その固定棚２３の下にチルドの温度帯に設定できる２つのチルド品収納ケース２０ａ、２０ｂが上下に設けられている。
また、図８に示すように、冷凍サイクルの一部で冷気を生成する冷却器９は、冷凍室３Ａと温度切替室３Ｂの背面に配置されている。
【００１９】
本発明の実施の形態１では、野菜収納中ケース１７ａ、１７ｂ、野菜収納小ケース１８ａ、１８ｂ、野菜収納大ケース１９が冷蔵室２の片サイドの野菜室２Ａに設置されることで、大きさの異なる各種野菜を分別して保存することが出来る。特に、野菜はキズが発生した部分から腐敗や劣化が進行していくため、野菜を重ねてキズがつきやすい状態を避けて保存すべきである。
そのため、各種野菜のサイズにあった野菜収納中ケース１７ａ、１７ｂ、野菜収納小ケース１８ａ、１８ｂ、野菜収納大ケース１９を複数個配置することにより、整理性が良いばかりか、重ねずに収納可能のため、キズつきを防止でき、ひいては鮮度保存に有効な手段である。
【００２０】
また、冷蔵室２における観音開きの一対の第一断熱扉のうちの野菜室２Ａ側に位置する冷蔵室断熱扉４の幅は、その冷蔵室断熱扉４を開放した場合に野菜収納中ケース１７ａ、１７ｂ、野菜収納小ケース１８ａ、１８ｂ、野菜収納大ケース１９を取り出すことができるよう野菜室２Ａの幅より少し大きい寸法に形成されているので、野菜室２Ａ側に位置する冷蔵室断熱扉４を開くだけで、野菜室２Ａの収納物全体が確認でき、探す手間が省けるため、冷蔵室断熱扉４の開時間を短くでき、冷蔵室２内の無駄な温度上昇の抑制、並びに省エネに効果がある。
さらに、冷蔵庫本体１の上下区画壁３３を境に上側を野菜室２Ａや小冷蔵室２Ｂの高い温度設定の部屋、下側を冷凍室３Ａや温度切替室３Ｂの低い温度設定の部屋にした上で、冷却器９を下側に配置しているため、冷却器９と野菜ケース１７の背面との間に断熱といった厚い断熱壁を設置する必要が無くなり、冷蔵庫全体の内容積の確保、並びに冷却器９の周りが低い温度帯の部屋のため、冷却器９の効率も上がり、省エネにも効果的である。
【００２１】
また、冷蔵室断熱扉４とその下方の冷凍室断熱扉６の幅寸法を揃え、冷蔵室断熱扉５とその下方の切替室断熱扉７の幅寸法を揃えることで、断熱扉の構成部品である上下のドアキャップ等を共有化することが可能であり、価格低減につながる。
【００２２】
図２では、冷凍室３Ａと左右区画壁３４で区画された第３貯蔵室を温度切替室３Ｂとしたが、第３貯蔵室を冷凍室としてもよい。これにより、種々の使用形態の冷蔵庫を得ることができる。
【００２３】
また、第一貯蔵室の一部に野菜収納中ケース１７ａ、１７ｂ、野菜収納小ケース１８ａ、１８ｂ、野菜収納大ケース１９としたが、第一貯蔵室全体を冷蔵室２としてもよい。これにより、種々の使用形態の冷蔵庫を得ることができる。
【００２４】
実施の形態２．
図９は本発明の実施の形態２の冷蔵庫を示す縦断面図、図１０は同冷蔵庫を示す正面図である。
上記実施の形態１では、図１に示すように、氷を貯める貯氷箱１３を冷凍室３Ａの一部に設ける構成を示したが、この実施の形態２は図９に示すように独立した製氷室３Ｃを設け、製氷室３Ｃに貯氷箱１３を配置する構成としたものである。
【００２５】
図９に示すように、冷蔵庫本体１は、外箱３１と内箱３０で形成される空間に断熱材３２を充填して箱体とし、この箱体の内部を第１の上下区画壁３３、左右区画壁３４及び第２の上下区画壁３５で区画して複数の貯蔵室、例えば上部に第一貯蔵室である冷蔵室２を設け、その下の一部に他の貯蔵室である製氷室３Ｃ、その製氷室３Ｃの下に第二貯蔵室である冷凍室３Ａを配置し、製氷室３Ｃと冷凍室３Ａに並べて第三貯蔵室である温度切替室３Ｂを配置する。
【００２６】
冷蔵室２は製氷室３Ｃ及び温度切替室３Ｂと上下区画壁３３で区画され、製氷室３Ｃ及び冷凍室３Ａと温度切替室３Ｂは左右区画壁３４で区画され、製氷室３Ｃと冷凍室３Ａは第二の上下区画壁３５で区画される。
この実施の形態２では、図１０に示すように、断熱扉は５個となり、冷蔵庫本体１の上部に一対の冷蔵室断熱扉４、５を設け、その下に上下に製氷室断熱扉８及び冷凍室断熱扉６を設けると共に、製氷室断熱扉８及び冷凍室断熱扉６の横に冷凍室断熱扉６を並べて設けている。
【００２７】
この実施の形態２のように構成することで、氷を取り出すとき、製氷室断熱扉８だけを開けばよいので、扉開閉時の熱ロスを最小限に抑えることが出来る。
また、冷蔵室２と製氷室３Ｃを除く、他の貯蔵室を例えば温度切替室３Ｂを冷凍室に設定することもでき、また冷凍室３Ａを温度切替室３Ｂにも設定することができ、これにより、種々の使用形態の冷蔵庫を得ることができる。
【００２８】
実施の形態３．
図１１は本発明の実施の形態３の冷蔵庫の冷却器の位置を示す説明図である。
上記実施の形態１では、図８に示すように、冷却器９を冷凍室３Ａと温度切替室３Ｂの背面に設置したが、この実施の形態３は図１１に示すように、冷媒を比較的高温で蒸発させる冷却器１０を冷蔵室２の背面に設置し、冷媒を低温で蒸発させる冷却器９を冷凍室３Ａと温度切替室３Ｂの背面に設置している。
この実施の形態３のように構成することで、冷蔵室２といった高温の部屋を冷却器１０で、また冷凍室３Ａ及び温度切替室３Ｂといった低温の部屋を冷却器９で効率良く冷やすことができ、省エネにつながる。
【符号の説明】
【００２９】
１  冷蔵庫本体、２  冷蔵室、２Ａ  野菜室、２Ｂ  小冷蔵室、３Ａ  冷凍室、３Ｂ  温度切替室、４  冷蔵室断熱扉、５  冷蔵室断熱扉、６  冷凍室断熱扉、７  切替室断熱扉、８  製氷室断熱扉、９  冷却器、１０  冷却器、１１  給水タンク、１３  貯氷箱、１４ａ、１４ｂ  冷凍食品収納ケース、１５ａ、１５ｂ  切替室小収納ケース、１６ａ、１６ｂ  切替室大収納ケース、１７ａ、１７ｂ  野菜収納中ケース、１８ａ、１８ｂ  野菜収納小ケース、１９  野菜収納大ケース、２０ａ、２０ｂ  チルド品収納ケース、２２ａ、２２ｂ  棚、２３  固定棚、２５  縦仕切部材、２５ａ  棚受け、３０  内箱、３０ａ  棚受け、３１  外箱、３２  断熱材、３３  上下区画壁、３４  左右区画壁。
【図１】
2011038686.tif 000003
【図２】
2011038686.tif 000004
【図３】
2011038686.tif 000005
【図４】
2011038686.tif 000006
【図５】
2011038686.tif 000007
【図６】
2011038686.tif 000008
【図７】
2011038686.tif 000009
【図８】
2011038686.tif 000010
【図９】
2011038686.tif 000011
【図１０】
2011038686.tif 000012
【図１１】
2011038686.tif 000013